(57)【要約】【課題】プリンタの給紙トレイにおいて、部品点数を削減し、エッジガイドの取り付けを容易にする。【解決手段】給紙トレイ２は、用紙支持台２１と、用紙支持台２１に移動自在に支持されるエッジガイド２３とを備える。用紙支持台２１には、開口溝３１及びレール３２が設けられており、エッジガイド２３の底面には、フック部４４，４５が形成されている。レール３２は、開口溝３１内にあり、断面視が上面３２ａから底面３２ｂに向けて幅広となるように側面３２ｃ，３２ｄに勾配を持つ。フック部４４，４５の爪４６，４７同士の間隔は、レール３２の上面３２ａの幅より広く、底面３２ｂの幅より狭い。フック部４４，４５の爪４６，４７をレール３２の上面３２ａに合わせてエッジガイド２３を押すことにより、フック部４４，４５が開口溝３１を貫通してレール３２に摺動自在に係合される。【選択図】図２
2007210791.tif 000002
【特許請求の範囲】
【請求項１】
画像記録を行うプリンタに供給する用紙を支持する用紙支持台と、前記用紙支持台に移動自在に支持されてサイズの異なる用紙に対応して用紙をガイドするエッジガイドとを備えるプリンタの給紙トレイにおいて、
前記用紙支持台に形成され、前記エッジガイドを移動自在に支持する開口溝と、
前記開口溝内に設けられ、一定幅かつ一定厚で伸びると共に断面視が上面から底面に向けて幅広となるように側面に勾配を持たせたレールと、
前記エッジガイドの底面に略垂直に一体的に突出形成され、前記開口溝内に貫通されたときに前記レールを挟み、かつ前記レールに摺動自在に係合される、弾性変形可能な１対のフック部と、を備え、
前記１対のフック部の先端側にある爪同士の間隔は、前記レールの上面の幅より広いと共にレールの底面の幅より狭く、これら爪の互いに対向する側面は、前記レール側面の勾配と逆向きの勾配を有するように形成され、
前記１対のフック部の爪を前記レールの上面に合わせて前記エッジガイドを前記用紙支持台に押さえ付けることにより、フック部が弾性変形して爪の間隔が開き、爪がレールの底面を過ぎると、弾性により元の位置に戻ってフック部がレールに係合されることを特徴とするプリンタの給紙トレイ。
【請求項２】
画像記録を行うプリンタに供給する用紙を支持する用紙支持台と、前記用紙支持台に移動自在に支持されてサイズの異なる用紙に対応して用紙をガイドするエッジガイドとを備えるプリンタの給紙トレイにおいて、
前記用紙支持台に形成された前記エッジガイドを移動自在に支持する開口溝内に設けられたレールと、
前記エッジガイドの底面に一体的に形成され、前記開口溝内に貫通されたときに前記レールを挟み、かつ前記レールに摺動自在に係合される１対のフック部と、を備えたことを特徴とするプリンタの給紙トレイ。
【請求項３】
前記レールは、断面視が上面から底面に向けて幅広となるように側面に勾配を持ち、
前記１対のフック部の先端側にある爪同士の間隔は、前記レールの上面の幅より広いと共に前記レールの底面の幅より狭いことを特徴とする請求項２に記載のプリンタの給紙トレイ。
【発明の詳細な説明】
【技術分野】
【０００１】
本発明は、プリンタに供給する用紙が装填されるプリンタの給紙トレイに関するものである。
【背景技術】
【０００２】
従来から、用紙に画像を記録するプリンタは、画像を記録するための用紙が給紙トレイに装填されるようになっており、給紙トレイに装填されている用紙を画像記録部に供給して、その用紙に画像を記録するようになっている。このようなプリンタの給紙トレイは、図５（ａ）（ｂ）に示す構成のものが知られている。
【０００３】
図５（ａ）（ｂ）に示す給紙トレイ６０は、プリンタに供給する用紙を用紙支持台６１により支持すると共に基準ガイド６２及びエッジガイド６３によりガイドするようになっている。基準ガイド６２は、用紙の一側端に当接されて用紙をガイドするものであり、用紙支持台６１の上面に固定されている。エッジガイド６３は、用紙の他側端に当接されて用紙をガイドするものであり、サイズの異なる用紙に対応して用紙をガイドできるように、用紙支持台６１の上面に移動自在に支持されている。
【０００４】
エッジガイド６３は、エッジガイド６３の底面に一体的に突出形成されたフック部６４，６５及び突起部６６，６７を用紙支持台６１の上面側から用紙支持台６１の開口溝６８に貫通させて、開口溝６８よりも幅の広い固定用部品６９を用紙支持台６１の底面側からフック部６４，６５及び突起部６６，６７に嵌め込むことにより、用紙支持台６１に取り付けられている。このように取り付けられたエッジガイド６３は、フック部６４，６５及び突起部６６，６７が開口溝６８の側面に摺動自在に係合されることにより、開口溝６８に沿って移動自在とされており、また、エッジガイド６３の底面と固定用部品６９により用紙支持台６１を挟むことにより、脱落することなく用紙支持台６１に支持されている。
【０００５】
また、給紙トレイの開口溝を介してエッジガイドに摺動部材を固定することにより、エッジガイドを給紙トレイの開口溝に沿って移動自在にしたプリンタの給紙トレイが知られている（例えば、特許文献１参照）。また、給紙トレイの開口溝を介してエッジガイドにラックを一体的に設けることにより、エッジガイドを給紙トレイの開口溝に沿って移動自在にしたプリンタの排紙トレイが知られている（例えば、特許文献２参照）。
【特許文献１】特開２００４−１９６５０４号公報
【特許文献２】特開２０００−１１８９２７号公報
【発明の開示】
【発明が解決しようとする課題】
【０００６】
ところが、上述した従来の図５（ａ）（ｂ）に示すプリンタの給紙トレイにおいては、エッジガイド６３を脱落しないように用紙支持台６１に取付けるために、固定用部品６９が必要であった。このため、部品点数が多く、また、エッジガイド６３の取り付けが煩雑であった。なお、上述した特許文献１及び特許文献２に開示の内容を適用したとしても、上記の課題を解決することはできない。
【０００７】
本発明は、上記課題を解決するためになされたものであり、部品点数を削減でき、エッジガイドの取り付けを容易に行うことができるプリンタの給紙トレイを提供することを目的とする。
【課題を解決するための手段】
【０００８】
上記目的を達成するために請求項１の発明は、画像記録を行うプリンタに供給する用紙を支持する用紙支持台と、用紙支持台に移動自在に支持されてサイズの異なる用紙に対応して用紙をガイドするエッジガイドとを備えるプリンタの給紙トレイにおいて、用紙支持台に形成され、エッジガイドを移動自在に支持する開口溝と、開口溝内に設けられ、一定幅かつ一定厚で伸びると共に断面視が上面から底面に向けて幅広となるように側面に勾配を持たせたレールと、エッジガイドの底面に略垂直に一体的に突出形成され、開口溝内に貫通されたときにレールを挟み、かつレールに摺動自在に係合される、弾性変形可能な１対のフック部と、を備え、１対のフック部の先端側にある爪同士の間隔は、レールの上面の幅より広いと共にレールの底面の幅より狭く、これら爪の互いに対向する側面は、レール側面の勾配と逆向きの勾配を有するように形成され、１対のフック部の爪をレールの上面に合わせてエッジガイドを用紙支持台に押さえ付けることにより、フック部が弾性変形して爪の間隔が開き、爪がレールの底面を過ぎると、弾性により元の位置に戻ってフック部がレールに係合されるものである。
【０００９】
請求項２の発明は、画像記録を行うプリンタに供給する用紙を支持する用紙支持台と、用紙支持台に移動自在に支持されてサイズの異なる用紙に対応して用紙をガイドするエッジガイドとを備えるプリンタの給紙トレイにおいて、用紙支持台に形成されたエッジガイドを移動自在に支持する開口溝内に設けられたレールと、エッジガイドの底面に一体的に形成され、開口溝内に貫通されたときにレールを挟み、かつレールに摺動自在に係合される１対のフック部と、を備えたものである。
【００１０】
請求項３の発明は、請求項２に記載のプリンタの給紙トレイにおいて、レールは、断面視が上面から底面に向けて幅広となるように側面に勾配を持ち、１対のフック部の先端側にある爪同士の間隔は、レールの上面の幅より広いと共にレールの底面の幅より狭いものである。
【発明の効果】
【００１１】
請求項１の発明によれば、エッジガイドの１対のフック部を用紙支持台の開口溝内に貫通させることにより、１対のフック部が用紙支持台のレールを挟み、かつレールに摺動自在に係合されて、エッジガイドが用紙支持台に移動自在に支持される。従って、エッジガイドを用紙支持台に取り付けるための固定用部品が不要であり、部品点数を削減できる。また、固定用部品を用いることなくフック部を開口溝内に貫通させるだけでエッジガイドを取り付けることができるため、エッジガイドの取り付けを容易に行うことができ、給紙トレイの組立時間を短縮できる。しかも、１対のフック部の先端側にある爪同士の間隔がレールの上面の幅より広いと共にレールの底面の幅より狭いため、１対のフック部の爪をレールの上面に合わせてエッジガイドを押さえ付けるだけで、フック部を開口溝内に貫通させてエッジガイドを取り付けることができ、従って、エッジガイドの取り付けをより一層容易に行うことができる。
【００１２】
請求項２の発明によれば、エッジガイドの１対のフック部を用紙支持台の開口溝内に貫通させることにより、１対のフック部が用紙支持台のレールを挟み、かつレールに摺動自在に係合されて、エッジガイドが用紙支持台に移動自在に支持される。従って、エッジガイドを用紙支持台に取り付けるための固定用部品が不要であり、部品点数を削減できる。また、固定用部品を用いることなくフック部を開口溝内に貫通させるだけでエッジガイドを取り付けることができるため、エッジガイドの取り付けを容易に行うことができ、給紙トレイの組立時間を短縮できる。
【００１３】
請求項３の発明によれば、１対のフック部の先端側にある爪同士の間隔がレールの上面の幅より広いと共にレールの底面の幅より狭いため、１対のフック部の爪をレールの上面に合わせてエッジガイドを押さえ付けるだけで、フック部を開口溝内に貫通させてエッジガイドを取り付けることができ、従って、エッジガイドの取り付けをより一層容易に行うことができる。
【発明を実施するための最良の形態】
【００１４】
以下、本発明を具体化した実施形態によるプリンタの給紙トレイについて図面を参照して説明する。図１は、プリンタの構成を示す。プリンタ１は、例えばデジタルカメラやパソコン等から入力される画像データを基に用紙に画像を記録する装置であり、画像を記録するための用紙が装填される給紙トレイ２を備えている。給紙トレイ２に装填された用紙は、用紙搬送機構（不図示）により、給紙口５から筐体３内に取り込まれて画像記録部（不図示）に供給され、そして、排紙口６から筐体３外に排出される。
【００１５】
給紙トレイ２は、プリンタ１の筐体３の一部を構成する開閉自在なフロントパネル４の内面に取り付けられており、用紙を支持する用紙支持台２１と、用紙をガイドする基準ガイド２２及びエッジガイド２３とを備えている。基準ガイド２２は、用紙の一側端に当接されて用紙をガイドするものであり、用紙支持台２１の上面に固定されている。エッジガイド２３は、用紙の他側端に当接されて用紙をガイドするものであり、サイズの異なる用紙に対応して用紙をガイドできるように、基準ガイド２３との間隔を調整できるように用紙支持台２１の上面に移動自在に設けられている。
【００１６】
図２（ａ）（ｂ）（ｃ）は、上記給紙トレイ２の構成を示し、図３（ａ）（ｂ）（ｃ）は、給紙トレイ２のエッジガイド２３の構成を示す。給紙トレイ２は、上述のように、用紙支持台２１の上面に、エッジガイド２３を移動自在に備えている。
【００１７】
用紙支持台２１は、エッジガイド２３を移動自在に支持するための開口溝３１及びレール３２を備えている。開口溝３１は、一定幅で略直線状に細長く形成されている。レール３２は、開口溝３１内に設けられており、一定幅かつ一定厚で開口溝３１と略平行に略直線状に伸びていると共に、断面視が上面３２ａから底面３２ｂに向けて幅広となるように側面３２ｃ，３２ｄに勾配を持っている。
【００１８】
エッジガイド２３は、樹脂により一体的に形成されており、ベース部４１と、用紙の側端位置を規制するエッジ規制部４２と、用紙の高さ（給紙トレイ２に装填される用紙の枚数）を規制する高さ規制部４３と、エッジガイド２３を用紙支持台２１に移動自在に取付けるための１対のフック部４４，４５とを備えている。
【００１９】
１対のフック部４４，４５は、ベース部４１の底面（すなわちエッジガイド２３の底面）に略垂直に一体的に突出形成されており、弾性変形可能になっている。１対のフック部４４，４５の先端側にある爪４６と爪４７との間隔は、レール３２の上面３２ａの幅より広いと共にレール３２の底面３２ｂの幅より狭く、爪４６，４７の互いに対向する側面４６ａ，４７ａは、レール３２の側面３２ｃ，３２ｄの勾配と逆向きの勾配を有するように形成されている。
【００２０】
このような構成のエッジガイド２３は、１対のフック部４４，４５が用紙支持台２１のレール３２を挟むようにレール３２の上面３２ａ側（用紙支持台２１の上面側）から開口溝３１内に貫通されて、用紙支持台２１に取り付けられている。用紙支持台２１に取り付けられたエッジガイド２３は、１対のフック部４４，４５がレール３２を挟み、かつレール３２に摺動自在に係合されており、これにより、レール３２に沿って移動自在に用紙支持台２１に支持されており、また、１対のフック部４４，４５の爪４６，４７がレール３２の底面３２ｂ上に位置しており、これにより、脱落することなく用紙支持台２１に支持されている。
【００２１】
図４（ａ）（ｂ）（ｃ）は、上記エッジガイド２３の取り付け方法を示す。エッジガイド２３の取り付けは、１対のフック部４４，４５の間にレール３２が位置するようにフック部４４，４５の爪４６，４７をレール３２の上面３２ａに合わせて（図４（ａ）参照）、エッジガイド２３を用紙支持台２１に押さえ付けることにより行われる。
【００２２】
このようにエッジガイド２３を押さえ付けると、レール３２の側面３２ｃ、３２ｄが上面３２ａから底面３２ｂに向けて幅広となるように傾斜しているため、フック部４４，４５が弾性変形して爪４６，４７の間隔が開きながら、エッジガイド２３が押し下げられてゆく（図４（ｂ）参照）。
【００２３】
エッジガイド２３をさらに押さえ付けると、１対のフック部４４，４５が開口溝３１を貫通し、爪４６，４７がレール３２の底面３２ｂを過ぎて、フック部４４，４５が弾性により元の形状に戻って爪４６，４７が元の位置に戻る（図４（ｃ）参照）。これにより、１対のフック部４４，４５がレール３２を挟み、かつレール３２に摺動自在に係合されると共に、爪４６，４７がレール３２の底面３２ｂ上に位置し、エッジガイド２３が用紙支持台２１に移動自在に支持される。
【００２４】
このように、上記構成の給紙トレイ２によれば、エッジガイド２３の１対のフック部４４，４５を用紙支持台２１の開口溝３１内に貫通させることにより、エッジガイド２３が用紙支持台２１に移動自在に支持される。従って、エッジガイド２３を用紙支持台２１に取り付けるための固定用部品が不要であり、部品点数を削減できる。また、固定用部品を用いることなくフック部４４，４５を開口溝３１内に貫通させるだけでエッジガイド２３を用紙支持台２１に取り付けることができるため、エッジガイド２３の取り付けを容易に行うことができ、給紙トレイ２の組立時間を短縮できる。
【００２５】
しかも、１対のフック部４４，４５の先端側にある爪４６，４７同士の間隔がレール３２の上面３２ａの幅より広いと共にレール３２の底面３２ｂの幅より狭いため、１対のフック部４４，４５の爪４６，４７をレール３２の上面３２ａに合わせてエッジガイド２３を押さえ付けるだけで、フック部４４，４５を開口溝３１内に貫通させてエッジガイド２３を取り付けることができ、従って、エッジガイド２３の取り付けをより一層容易に行うことができる。
【００２６】
なお、本発明は、上記実施形態の構成に限られず、種々の変形が可能である。例えば、給紙トレイ２は、フロントパネル４の内面に設けられたものに限られず、筐体３の側面に露出して設けられていてもよく、また、筐体３内に引出し／収納自在に設けられていてもよい。また、基準ガイド２２とエッジガイド２３の配置が逆であってもよい。
【図面の簡単な説明】
【００２７】
【図１】本発明の一実施形態に係るプリンタの全体構成を示す斜視図。
【図２】（ａ）は同プリンタの給紙トレイの構成を示す上面側から見た斜視図、（ｂ）は同底面側から見た斜視図、（ｃ）は同要部拡大断面図。
【図３】（ａ）は同給紙トレイのエッジガイドの構成を示す上面側から見た斜視図、（ｂ）は同底面側から見た斜視図、（ｃ）は同エッジガイドのフック部を拡大した側面図。
【図４】（ａ）（ｂ）（ｃ）は同エッジガイドの取り付け方法を示す断面図。
【図５】（ａ）は従来の給紙トレイの上面側から見た斜視図、（ｂ）は同底面側から見た分解斜視図。
【符号の説明】
【００２８】
１    プリンタ
２    給紙トレイ
３    筐体
４    フロントパネル
５    給紙口
６    排紙口
２１    用紙支持台
２２    基準ガイド
２３    エッジガイド
３１    開口溝
３２    レール
３２ａ    レールの上面
３２ｂ    レールの底面
３２ｃ，３２ｄ    レールの側面
４１    ベース部
４２    エッジ規制部
４３    高さ規制部
４４，４５    フック部
４６，４７    フック部の爪
４６ａ，４７ａ    爪の側面
【図１】
2007210791.tif 000003
【図２】
2007210791.tif 000004
【図３】
2007210791.tif 000005
【図４】
2007210791.tif 000006
【図５】
2007210791.tif 000007